(57)【要約】【課題】パレットにおけるＲＦＩＤタグの付け外しといったメンテナンスが容易であると共に、ＲＦＩＤタグの損傷を防止可能なパレット用のグロメット及びパレットを提供する。【解決手段】荷物の輸送・保管に用いるパレットに装着されるグロメット１は、ＲＦＩＤタグ２０を備える。これにより、グロメット１の付け外により、ＲＦＩＤタグ２０の付け外しといったメンテナンスを容易に行える。また、ＲＦＩＤタグ２０は、グロメット１に備えられており、さらに、ＲＦＩＤタグ２０を備えたグロメット１がパレットのデッキボードに嵌め込まれるので、フォークリフトのフォークによるＲＦＩＤタグ２０の破損が防止される。さらに、グロメット１の付け外しは、パレットの管理者以外のパレット使用者には困難であるので、パレット管理者以外の者によりＲＦＩＤタグ２０が外されることが防止される。【選択図】図５
2012240743.tif 000002
【特許請求の範囲】
【請求項１】
荷物の輸送・保管に用いるパレットに装着されるパレット用のグロメットであって、
ＲＦＩＤタグを備えることを特徴とするグロメット。
【請求項２】
略柱形状を有し、
前記ＲＦＩＤタグは、フィルム状に形成されると共に、前記グロメットの軸線周りの少なくとも一部を囲むように設けられている
ことを特徴とする請求項１に記載のグロメット。
【請求項３】
略柱形状を有し、
前記ＲＦＩＤタグは、棒状に形成されると共に、前記グロメットの軸線に沿って螺旋状に設けられている
ことを特徴とする請求項１に記載のグロメット。
【請求項４】
前記ＲＦＩＤタグは、前記グロメットの側面上に設けられている
ことを特徴とする請求項２または３に記載のグロメット。
【請求項５】
前記ＲＦＩＤタグは、前記グロメットの側面に囲まれた領域に内蔵されて設けられている
ことを特徴とする請求項２または３に記載のグロメット。
【請求項６】
荷物を載せるための主面を有する一対のデッキボードを含むパレットであって、
請求項１〜５のいずれか１項に記載のグロメットを前記デッキボードに少なくとも１つ備え、
前記ＲＦＩＤタグは、当該パレットを識別するための情報を記憶している
ことを特徴とするパレット。
【請求項７】
前記グロメットを前記デッキボードに複数備え、
複数の前記グロメットが備える各々のＲＦＩＤタグは、同一の情報を記憶している
ことを特徴とする請求項６に記載のパレット。
【発明の詳細な説明】
【技術分野】
【０００１】
本発明は、荷物の輸送・保管に用いるパレットに装着されるパレット用のグロメット、及びパレットに関するものである。
【背景技術】
【０００２】
種々の業種における荷物の輸送にパレットが用いられている。近年、パレットにＲＦＩＤタグを取り付けることにより、パレットの流通管理が行われている。例えば、特許文献１には、フォークリフトのフォークを挿入するための挿入口にＲＦＩＤタグが設けられたパレットが記載されている。
【先行技術文献】
【特許文献】
【０００３】
【特許文献１】特開２００２−２４０９５５号公報
【発明の概要】
【発明が解決しようとする課題】
【０００４】
しかしながら、フォークの挿入口といった箇所にＲＦＩＤタグが取り付けられていると、パレットを運搬する際にフォークによりＲＦＩＤタグを損傷する可能性がある。また、ＲＦＩＤタグが取り付けられたパレットは、ＲＦＩＤタグの付け外しといったメンテナンスが容易であることが好ましい。一方、ＲＦＩＤタグが容易に視認可能な位置に取り付けられていると、パレットの管理者以外の使用者により故意又は無意識にＲＦＩＤタグが外されてしまう可能性がある。
【０００５】
そこで、本発明は、上記問題点に鑑みてなされたものであり、パレットにおけるＲＦＩＤタグの付け外しといったメンテナンスが容易であると共に、ＲＦＩＤタグの損傷を防止可能なパレット用のグロメット及びパレットを提供することを目的とする。
【課題を解決するための手段】
【０００６】
一般的なグロメットは、略柱形状を有すると共に、樹脂等により構成される物であり、パレットのデッキボードに設けられた孔に嵌め込まれて使用される。グロメットの上面は、デッキボードの荷物を載せるための主面に沿うように位置している。これにより、パレットに載せられる荷物の滑りを防止することができる。また、グロメットの下面は、デッキボードの主面に対向する裏面に沿うように位置すると共に、パレットにおけるフォークの挿入孔に露出している。これにより、フォークの滑りを防止することができる。
【０００７】
本発明のグロメットは、荷物の輸送・保管に用いるパレットに装着されるパレット用のグロメットであって、ＲＦＩＤタグを備えることを特徴とする。
【０００８】
本発明のグロメットによれば、ＲＦＩＤタグがグロメットに備えられているので、パレットにグロメットを付けたり外したりすることにより、ＲＦＩＤタグの付け外しといったメンテナンスを容易に行うことができる。また、ＲＦＩＤタグは直接にパレットに装着されるのではなく、グロメットに備えられており、ＲＦＩＤタグを備えたグロメットがデッキボードに嵌め込まれるので、フォークがＲＦＩＤタグに直接に接触することがなく、フォークによるＲＦＩＤタグの破損が防止される。さらに、グロメットの付け外しは、パレットの管理者以外のパレット使用者には困難であるので、パレット管理者以外の者によりＲＦＩＤタグが外されてしまうことが防止される。
【０００９】
また、本発明のグロメットは、略柱形状を有し、ＲＦＩＤタグは、フィルム状に形成されると共に、グロメットの軸線周りの少なくとも一部を囲むように設けられていることを特徴とする。
【００１０】
この場合には、ＲＦＩＤタグを構成するＩＣチップ及びアンテナがフィルム状に形成されているので、ＲＦＩＤタグの製造及びグロメットへの装着が容易である。また、フィルム状のＲＦＩＤタグがグロメットの軸線を囲むように設けられているので、ＲＦＩＤタグのアンテナが軸線回りに沿って各方向を向くこととなる。従って、ＲＦＩＤリーダから発せられる電波の受信が容易となる。
【００１１】
また、本発明のグロメットは、略柱形状を有し、ＲＦＩＤタグは、棒状に形成されると共に、グロメットの軸線に沿って螺旋状に設けられていることを特徴とする。
【００１２】
この場合には、ＲＦＩＤタグを構成するＩＣチップ及びアンテナが棒状に形成されているので、ＲＦＩＤタグの製造及びグロメットへの装着が容易である。また、棒状のＲＦＩＤタグがグロメットの軸線に沿って螺旋状に設けられているので、ＲＦＩＤタグのアンテナが軸線回りの各方向を向くこととなる。従って、ＲＦＩＤリーダから発せられる電波の受信が容易となる。
【００１３】
また、本発明のグロメットでは、ＲＦＩＤタグは、グロメットの側面上に設けられていることを特徴とする。この場合には、ＲＦＩＤタグをグロメットに容易に装着できるので、グロメットの製造が容易である。
【００１４】
また、本発明のグロメットでは、ＲＦＩＤタグは、グロメットの側面に囲まれた領域に内蔵されて設けられていることを特徴とする。この場合には、ＲＦＩＤタグがグロメットの表面に露出しないので、パレットに何らかの衝撃が加えられた場合であっても、その衝撃がグロメットにより緩和され、ＲＦＩＤタグの損傷が防止される。
【００１５】
本発明のパレットは、荷物を載せるための主面を有する一対のデッキボードを含むパレットであって、上記のグロメットをデッキボードに少なくとも１つ備え、ＲＦＩＤタグは、当該パレットを識別するための情報を記憶していることを特徴とする。
【００１６】
この場合には、ＲＦＩＤタグが備えられたグロメットがパレットのデッキボードに備えられるので、ＲＦＩＤタグに記憶された情報により当該パレットを識別することができる。
【００１７】
本発明のパレットでは、グロメットをデッキボードに複数備え、複数のグロメットが備える各々のＲＦＩＤタグは、同一の情報を記憶していることを特徴とする。この場合には、ＲＦＩＤリーダのよるデータの読み取りエラー率が低減される。
【発明の効果】
【００１８】
本発明によれば、パレットにおけるＲＦＩＤタグの付け外しといったメンテナンスが容易であると共に、ＲＦＩＤタグの損傷を防止可能なパレット用のグロメット及びパレットを提供することが可能となる。
【図面の簡単な説明】
【００１９】
【図１】一般的なグロメットの斜視図、上面図及び側面図である。
【図２】一般的なパレットの斜視図である。
【図３】一般的なパレットの上面図及び側面図である。
【図４】図２におけるＩＶ−ＩＶ矢視の一部を示す図である。
【図５】第１の実施形態に係るグロメットを示す側面図である。
【図６】第２の実施形態に係るグロメットを示す側面図である。
【図７】第３の実施形態に係るグロメットを示す側面図及び上面図である。
【図８】第４の実施形態に係るグロメットを示す側面図及び上面図である。
【図９】実施形態に係るパレットの上面図である。
【図１０】略角柱形状を有するグロメットの例を示す斜視図である。
【図１１】略角柱形状を有するグロメットの例を示す斜視図である。
【発明を実施するための形態】
【００２０】
以下、図面を参照して、本発明に係るグロメットの実施形態について詳細に説明する。なお、全図中、同一又は相当部分には同一符号を付すこととする。
【００２１】
まず、本実施形態のグロメットの説明に先立って、図１〜図４を参照して、一般的なグロメット、及び荷物の輸送・保管に用いるパレットを説明する。図１（ａ）、（ｂ）及び（ｃ）はそれぞれ、一般的なグロメット１００の斜視図、上面図及び側面図である。
パレットに載せられる荷物やフォークリフトのフォークの滑りを防止するために、パレットに装着されて使用される部材であり、例えば樹脂といった材料により構成されている。グロメット１００は、図１に示すように、上面１１０から下面１１１に向かうに従い径が小さくなるような略円柱形状を有し、上面１１０近傍部分及び下面１１１近傍部分は、その他の部分よりも太くなっている。また、グロメット１００には、軸線に沿うように、内側面１１３により形成され上面１１０から下面１１１に至る貫通孔が設けられている。
【００２２】
図２は、一般的なパレット１３０の斜視図である。また、図３（ａ）及び（ｂ）は、パレット１３０の上面図及び側面図である。なお、図３（ｂ）の側面図は、パレットにおけるフォークの差込方向（図３（ａ）下側）から見た側面図である。
【００２３】
パレット１３０は、図２及び図３に示すように、荷物を載せるための略正方形の主面１３１Ａを有するデッキボード１３１、パレット１３０における下面を構成するデッキボード１３２、及びデッキボード１３１，１３２の間に設けられた桁部１３４を有する。
【００２４】
また、パレット１３０は、フォークリフトのフォークを挿入するためのフォーク孔１３５を有する。フォーク孔１３５は、デッキボード１３１，１３２及び互いに対向する桁部１３４に囲まれた空間として形成されている。
【００２５】
また、デッキボード１３１には、グロメットを装着するためのグロメット孔１３３が設けられている。図２及び図３に示すパレット１３０は、８つのグロメット孔１３３を有する。グロメット孔１３３は、デッキボード１３１の主面１３１Ａから裏面１３１Ｂまで貫通しており、フォーク孔１３５に対応する位置に設けられている。
【００２６】
図４は、図２におけるＩＶ−ＩＶ矢視の一部を示す図であり、グロメット１００がパレット１３０のグロメット孔１３３に装着された状態を示している。図４に示すように、グロメット１００は、パレット１３０のデッキボード１３１に設けられたグロメット孔１３３に嵌め込まれて使用される。グロメット１００は、弾性を有する樹脂等により構成されているので、パレット１３０に装着される際に縮むように変形し、変形に伴い発生する弾性力によりグロメット孔１３３に固定される。
【００２７】
グロメット１００の上面１１０は、デッキボードの主面１３１Ａに沿うように位置している。これにより、パレット１３０に載せられる荷物の滑りを防止することができる。また、グロメット１００の下面１１１は、デッキボード１３１の主面１３１Ａに対向する裏面１３１Ｂに沿うように位置すると共に、パレット１３０におけるフォーク孔１３５に露出している。これにより、フォークの滑りを防止することができる。なお、グロメット１００の内側面１１３により形成される貫通孔は、グロメット１００をパレット１３０に付け外しするときに用いる治具を取り付けるために設けられている。
【００２８】
次に、図５〜図８を参照して、第１〜第４の実施形態に係るグロメット１Ａ〜１Ｄを説明する。なお、本明細書において、グロメット１Ａ〜１Ｄを総称してグロメット１とも表記する。
【００２９】
図５は、第１の実施形態に係るグロメット１Ａを示す側面図である。グロメット１Ａは、図５に示すように、ＲＦＩＤタグ２０Ａを備えている。ＲＦＩＤタグ２０Ａは、ＩＣチップ及びアンテナを含み、例えば樹脂といった材料によりフィルム状に一体に形成されている。なお、グロメット１Ａは、ＲＦＩＤタグ２０Ａが備えられていることを除けば、一般的なグロメット１００と同様の構造を有する。
【００３０】
第１の実施形態では、ＲＦＩＤタグ２０Ａは、グロメット１Ａの側面１２上において、グロメット１Ａの軸線周りを囲むように設けられている。なお、図５に示すグロメット１Ａでは、ＲＦＩＤタグ２０Ａは、グロメット１Ａの軸線周りを全て囲むように設けられているが、軸線回りの一部を囲むように設けられていることとしてもよい。
【００３１】
第１の実施形態のグロメット１Ａでは、ＲＦＩＤタグ２０Ａを構成するＩＣチップ及びアンテナがフィルム状に一体に形成されているので、ＲＦＩＤタグ２０Ａの製造及びグロメット１ＡへのＲＦＩＤタグ２０Ａの装着が容易である。また、ＲＦＩＤタグ２０Ａは、グロメット１Ａの側面１２上に設けられているので、ＲＦＩＤタグ２０Ａをグロメット１Ａに容易に装着することが可能であり、その結果、グロメット１Ａの製造が容易となる。さらに、フィルム状のＲＦＩＤタグ２０Ａがグロメット１Ａの軸線を囲むように設けられているので、ＲＦＩＤタグのアンテナが軸線回りに沿って各方向を向くこととなる。従って、ＲＦＩＤリーダから発せられる電波の受信が容易となる。
【００３２】
また、図５に示すように、ＲＦＩＤタグ２０Ａは、グロメット１Ａにおける上面１０近傍及び下面１１近傍の部分を除いたその他の部分における側面１２上に設けられているので、グロメット１Ａがパレットに装着されたときに、ＲＦＩＤタグ２０Ａは、デッキボードの表面に露出しない。よって、ＲＦＩＤタグ２０Ａの破損が防止される。
【００３３】
図６は、第２の実施形態に係るグロメット１Ｂを示す側面図である。グロメット１Ｂは、図６に示すように、ＲＦＩＤタグ２０Ｂを備えている。ＲＦＩＤタグ２０Ｂは、第１の実施形態と同様にＩＣチップ及びアンテナを含んでいるが、第１の実施形態とは、その形状が相違する。第２の実施形態におけるＲＦＩＤタグ２０ＢのＩＣチップ及びアンテナは、例えば樹脂といった材料により棒状に一体に形成されている。そして、棒状のＲＦＩＤタグ２０Ｂは、グロメット１Ｂの側面１２上において、グロメット１Ｂの軸線に沿って螺旋状に設けられている。なお、グロメット１Ｂは、ＲＦＩＤタグ２０Ｂが備えられていることを除けば、一般的なグロメット１００と同様の構造を有する。
【００３４】
第２の実施形態のグロメット１Ｂでは、ＲＦＩＤタグ２０Ｂを構成するＩＣチップ及びアンテナが棒状に形成されているので、ＲＦＩＤタグ２０Ｂの製造及びグロメット１Ｂへの装着が容易である。また、ＲＦＩＤタグ２０Ｂは、グロメット１Ｂの側面１２上に設けられているので、ＲＦＩＤタグ２０Ｂをグロメット１Ｂに容易に装着することが可能であり、その結果、グロメット１Ｂの製造が容易となる。さらに、棒状のＲＦＩＤタグ２０Ｂがグロメット１Ｂの軸線に沿って螺旋状に設けられているので、ＲＦＩＤタグ２０Ｂのアンテナが軸線回りに沿って各方向を向くこととなる。従って、ＲＦＩＤリーダから発せられる電波の受信が容易となる。
【００３５】
また、図６に示すように、ＲＦＩＤタグ２０Ｂは、グロメット１Ｂにおける上面１０近傍及び下面１１近傍の部分を除いたその他の部分における側面１２上に設けられているので、グロメット１Ｂがパレットに装着されたときに、ＲＦＩＤタグ２０Ｂは、デッキボードの表面に露出しない。よって、ＲＦＩＤタグ２０Ｂの破損が防止される。
【００３６】
図７（ａ）及び（ｂ）はそれぞれ、第３の実施形態に係るグロメット１Ｃを示す側面図及び上面図である。グロメット１Ｃは、図７に示すように、ＲＦＩＤタグ２０Ｃを備えている。ＲＦＩＤタグ２０Ｃは、第１の実施形態と同様にＩＣチップ及びアンテナを含み、ＩＣチップ及びアンテナは、例えば樹脂といった材料によりフィルム状に一体に形成されている。なお、グロメット１Ｃは、ＲＦＩＤタグ２０Ｃが備えられていることを除けば、一般的なグロメット１００と同様の構造を有する。
【００３７】
第３の実施形態では、ＲＦＩＤタグ２０Ｃは、グロメット１Ｃの側面１２に囲まれた領域に内蔵されると共に、グロメット１Ｃの軸線周りを囲むように設けられている。より詳しくは、ＲＦＩＤタグ２０Ｃは、グロメット１Ｃの外側面（側面）１２と内側面１３との間の領域に内蔵されている。なお、図７に示すグロメット１Ｃでは、ＲＦＩＤタグ２０Ｃは、グロメット１Ｃの軸線周りを全て囲むように設けられているが、軸線回りの一部を囲むように設けられていることとしてもよい。
【００３８】
第３の実施形態のグロメット１Ｃでは、ＲＦＩＤタグ２０Ｃがグロメット１Ｃの表面に露出しないので、パレットに何らかの衝撃が加えられた場合であっても、その衝撃がグロメット１Ｃにより緩和され、ＲＦＩＤタグ２０Ｃの損傷が防止される。また、フィルム状のＲＦＩＤタグ２０Ｃがグロメット１Ｃの軸線を囲むように設けられているので、ＲＦＩＤタグ２０Ｃのアンテナが軸線回りに沿って各方向を向くこととなる。従って、ＲＦＩＤリーダから発せられる電波の受信が容易となる。
【００３９】
また、図７に示すように、ＲＦＩＤタグ２０Ｃは、グロメット１Ｃにおける上面１０近傍及び下面１１近傍の部分を除いたその他の部分における側面１２に囲まれた領域に内蔵されているので、グロメット１Ｃがパレットに装着されたときに、ＲＦＩＤタグ２０Ｃは、デッキボードの表面に露出しない。よって、ＲＦＩＤタグ２０Ｃの破損が防止される。
【００４０】
図８（ａ）及び（ｂ）はそれぞれ、第４の実施形態に係るグロメット１Ｄを示す側面図及び上面図である。グロメット１Ｄは、図８に示すように、ＲＦＩＤタグ２０Ｄを備えている。ＲＦＩＤタグ２０Ｄは、第２の実施形態と同様にＩＣチップ及びアンテナを含み、ＲＦＩＤタグ２０ＤのＩＣチップ及びアンテナは、例えば樹脂といった材料により棒状に一体に形成されている。
【００４１】
第４の実施形態では、ＲＦＩＤタグ２０Ｄは、グロメット１Ｄの側面１２に囲まれた領域に内蔵されると共に、グロメット１Ｄの軸線に沿って螺旋状に設けられている。より詳しくは、ＲＦＩＤタグ２０Ｄは、グロメット１Ｃの外側面（側面）１２と内側面１３との間の領域に内蔵されている。なお、グロメット１Ｄは、ＲＦＩＤタグ２０Ｄが備えられていることを除けば、一般的なグロメット１００と同様の構造を有する。
【００４２】
第４の実施形態のグロメット１Ｄでは、ＲＦＩＤタグ２０Ｄがグロメット１Ｄの表面に露出しないので、パレットに何らかの衝撃が加えられた場合であっても、その衝撃がグロメット１Ｄにより緩和され、ＲＦＩＤタグ２０Ｄの損傷が防止される。また、棒状のＲＦＩＤタグ２０Ｄがグロメット１Ｄの軸線に沿って螺旋状に設けられているので、ＲＦＩＤタグ２０Ｄのアンテナが軸線回りに沿って各方向を向くこととなる。従って、ＲＦＩＤリーダから発せられる電波の受信が容易となる。
【００４３】
また、図８に示すように、ＲＦＩＤタグ２０Ｄは、グロメット１Ｄにおける上面１０近傍及び下面１１近傍の部分を除いたその他の部分における側面１２に囲まれた領域に内蔵されているので、グロメット１Ｄがパレットに装着されたときに、ＲＦＩＤタグ２０Ｄは、デッキボードの表面に露出しない。よって、ＲＦＩＤタグ２０Ｄの破損が防止される。
【００４４】
以上説明した第１〜第４の実施形態のグロメット１Ａ〜１Ｄによれば、ＲＦＩＤタグ２０がグロメット１に備えられているので、パレットにグロメット１を付けたり外したりすることにより、ＲＦＩＤタグ２０の付け外しといったメンテナンスを容易に行うことができる。換言するならば、本実施形態のグロメット１Ａ〜１Ｄは、グロメット自体がＲＦＩＤタグとして機能するものである。また、ＲＦＩＤタグ２０は、直接にパレットに装着されるのではなく、グロメット１に備えられており、ＲＦＩＤタグ２０を備えたグロメット１がパレットのデッキボードに嵌め込まれるので、フォークリフトのフォークがＲＦＩＤタグ２０に直接に接触することがなく、フォークによるＲＦＩＤタグ２０の破損が防止される。さらに、グロメット１の付け外しは、パレットの管理者以外のパレット使用者には困難であるので、パレット管理者以外の者によりＲＦＩＤタグ２０が外されてしまうことが防止される。
【００４５】
続いて、本発明に係るパレットの実施形態について詳細に説明する。図９（ａ），（ｂ）は、本実施形態に係るパレット３の上面図である。パレット３は、荷物を載せるための主面３１Ａを有するデッキボード３１を含み、グロメット１をデッキボード３１に少なくとも１つ備える。グロメット１が備えるＲＦＩＤタグ２０は、当該パレット３を識別するための情報を記憶している。
【００４６】
図９（ａ）に示すように、パレット３Ａでは、デッキボード３１に８つのグロメット孔３３が設けられている。そして、８つのグロメット孔３３のうちの１つのグロメット孔３３にグロメット１が設けられている。グロメット１が設けられたグロメット孔３３以外の７つのグロメット孔には、ＲＦＩＤタグ２０を備えていない通常のグロメット１００が装着されることとなる（図示せず）。
【００４７】
パレット３Ａでは、ＲＦＩＤタグ２０が備えられたグロメット１がパレット３Ａのデッキボード３１に備えられるので、ＲＦＩＤタグ２０に記憶された情報により当該パレット３Ａを識別することができる。
【００４８】
また、図９（ｂ）に示すパレット３Ｂでは、８つのグロメット孔３３のうちの２つのグロメット孔３３にそれぞれグロメット１が設けられている。２つのグロメット孔３３に装着されたグロメット１が備える各々のＲＦＩＤタグ２０は、パレット３Ｂを識別するための同一の情報を記憶している。
【００４９】
パレット３Ｂでは、一方のＲＦＩＤタグ２０がＲＦＩＤリーダからの距離の遠さ等に理由に起因してＲＦＩＤリーダから発せられる電波を受信できない状態であっても、他方のＲＦＩＤタグ２０がＲＦＩＤリーダからの電波を受信できる可能性がある。従って、ＲＦＩＤリーダのよるデータの読み取りエラー率が低減される。
【００５０】
なお、図９（ｂ）に示すパレット３Ｂでは、ＲＦＩＤタグ２０を備えた２つのグロメット１が装着されることとしたが、さらに多くの複数のグロメット１が装着されることとしてもよい。
【００５１】
以上、本発明をその実施形態に基づいて詳細に説明した。しかし、本発明は上記実施形態に限定されるものではない。本発明は、その要旨を逸脱しない範囲で様々な変形が可能である。
【００５２】
以上説明した実施形態に係るグロメット１は、略円柱形状を有することとしたが、この形状には限られない。例えば、グロメット１は略角柱形状を有することとしてもよい。図１０及び図１１は、略角柱形状を有するグロメット１の例を示す斜視図である。
【００５３】
図１０及び図１１に示すグロメット１Ｅ〜１Ｈは、略角柱形状を有すると共に、内側面１７により形成され上面１４から下面１５に至る貫通孔を有している。また、グロメット１Ｅ〜１Ｈの軸線に垂直な断面における方形状の各辺の長さは、上面１４から下面１５に向かうに従い短くなっている。
【００５４】
図１０（ａ）に示すグロメット１Ｅは、フィルム形状に形成されたＲＦＩＤタグ２０Ｅを備えている。ＲＦＩＤタグ２０Ｅは、グロメット１Ｅの外側面１６上において、グロメット１Ｅの軸線周りを囲むように設けられている。
【００５５】
図１０（ｂ）に示すグロメット１Ｆは、棒状に形成されたＲＦＩＤタグ２０Ｆを備えている。ＲＦＩＤタグ２０Ｆは、グロメット１Ｆの外側面１６上において、グロメット１Ｆの軸線に沿って螺旋状に設けられている。
【００５６】
図１１（ａ）に示すグロメット１Ｇは、フィルム形状に形成されたＲＦＩＤタグ２０Ｇを備えている。ＲＦＩＤタグ２０Ｇは、グロメット１Ｇの外側面１６と内側面１７との間の領域に内蔵されると共に、グロメット１Ｇの軸線周りを囲むように設けられている。
【００５７】
図１１（ｂ）に示すグロメット１Ｈは、棒状に形成されたＲＦＩＤタグ２０Ｈを備えている。ＲＦＩＤタグ２０Ｈは、グロメット１Ｇの外側面１６と内側面１７との間の領域に内蔵されると共に、グロメット１Ｈの軸線に沿って螺旋状に設けられている。
【符号の説明】
【００５８】
１，１Ａ，１Ｂ，１Ｃ，１Ｄ，１Ｅ，１Ｆ，１Ｇ，１Ｈ…グロメット、３，３Ａ，３Ｂ…パレット、１２…側面、１３…内側面、１４…上面、１５…下面、１６…外側面、１７…内側面、２０，２０Ａ，２０Ｂ，２０Ｃ，２０Ｄ，２０Ｅ，２０Ｆ，２０Ｇ，２０Ｈ…ＲＦＩＤタグ、３１…デッキボード、３１Ａ…主面、３３…グロメット孔。
【図１】
2012240743.tif 000003
【図２】
2012240743.tif 000004
【図３】
2012240743.tif 000005
【図４】
2012240743.tif 000006
【図５】
2012240743.tif 000007
【図６】
2012240743.tif 000008
【図７】
2012240743.tif 000009
【図８】
2012240743.tif 000010
【図９】
2012240743.tif 000011
【図１０】
2012240743.tif 000012
【図１１】
2012240743.tif 000013